(57)【特許請求の範囲】
【請求項１】
ディスプレイの電源管理状態の判定結果を記憶する記憶手段と、
前記記憶手段との間のデータの入出力を制御するコントローラと、
外部からの水平同期信号が入力される水平同期信号入力手段と、
外部からの垂直同期信号が入力される垂直同期信号入力手段と、
前記水平同期信号の周波数を検出する水平同期信号周波数検出手段と、
前記垂直同期信号の周波数を検出する垂直同期信号周波数検出手段と、
水平同期信号の有無を判定する基準値に基づいて、前記水平同期信号の有無を検出する水平同期信号有無判定手段と、
垂直同期信号の有無を判定する基準値に基づいて、前記垂直同期信号の有無を検出する垂直同期信号有無判定手段と、
水平同期信号、及び垂直同期信号の有無の組み合わせに基づいて、ディスプレイの電源管理状態を判定する電源管理状態判定手段と、
前記電源管理状態判定手段により前記ディスプレイの電源管理状態が変化したと判定したとき、前記コントローラに出力される割込み信号を生成する割込み生成手段とを備え、
前記電源管理状態判定手段によって判定された結果により、ディスプレイの電源を管理するとともに、前記割込み信号に基づいて、前記コントローラを制御する、
ことを特徴とするディスプレイ制御装置。
【請求項２】
請求項１記載のディスプレイ制御装置において、
デバイス間で通信を行う通信手段を備えた、
ことを特徴とするディスプレイ制御装置。
【請求項３】
請求項１記載のディスプレイ制御装置において、
ディスプレイ上に文字を表示する文字表示手段を備えた、
ことを特徴とするディスプレイ制御装置。
【請求項４】
ディスプレイの電源管理状態の判定結果を記憶する記憶手段と、
前記記憶手段との間のデータの入出力を制御するコントローラと、
外部からの水平同期信号が入力される水平同期信号入力手段と、
外部からの垂直同期信号が入力される垂直同期信号入力手段と、
前記水平同期信号より、クロックに同期したパルス信号である水平同期信号パルスを生成する水平同期信号パルス生成手段と、
前記垂直同期信号より、クロックに同期したパルス信号である垂直同期信号パルスを生成する垂直同期信号パルス生成手段と、
前記水平同期信号、及び前記垂直同期信号の周波数検出の基準となる基準周波数信号を生成する基準周波数信号生成手段と、
前記水平同期信号の周波数を検出する水平同期信号周波数検出手段と、
前記垂直同期信号の周波数を検出する垂直同期信号周波数検出手段と、
水平同期信号の有無を判定する基準値に基づいて、前記水平同期信号の有無を検出する水平同期信号有無判定手段と、
垂直同期信号の有無を判定する基準値に基づいて、前記垂直同期信号の有無を検出する垂直同期信号有無判定手段と、
水平同期信号、及び垂直同期信号の有無の組み合わせに基づいて、ディスプレイの電源管理状態を判定する電源管理状態判定手段と、
前記電源管理状態判定手段により前記ディスプレイの電源管理状態が変化したと判定したとき、前記コントローラに出力される割込み信号を生成する割込み生成手段とを備え、
前記電源管理状態判定手段によって判定された結果により、ディスプレイの電源を管理するとともに、前記割込み信号に基づいて、前記コントローラを制御する、
ことを特徴とするディスプレイ制御装置。
【請求項５】
請求項４記載のディスプレイ制御装置において、
デバイス間で通信を行う通信手段を備えた、
ことを特徴とするディスプレイ制御装置。
【請求項６】
請求項４記載のディスプレイ制御装置において、
ディスプレイ上に文字を表示する文字表示手段を備えた、
ことを特徴とするディスプレイ制御装置。
【請求項７】
ディスプレイの電源管理状態の判定結果を記憶する記憶手段と、
前記記憶手段との間のデータの入出力を制御するコントローラと、
外部からの水平同期信号が入力される水平同期信号入力手段と、
外部からの垂直同期信号が入力される垂直同期信号入力手段と、
前記水平同期信号のノイズを除去する水平同期信号ノイズフィルタと、
前記垂直同期信号のノイズを除去する垂直同期信号ノイズフィルタと、
前記水平同期信号より、クロックに同期したパルス信号である水平同期信号パルスを生成する水平同期信号パルス生成手段と、
前記垂直同期信号より、クロックに同期したパルス信号である垂直同期信号パルスを生成する垂直同期信号パルス生成手段と、
前記水平同期信号、及び前記垂直同期信号の周波数検出の基準となる基準周波数信号を生成する基準周波数信号生成手段と、
前記水平同期信号の周波数を検出する水平同期信号周波数検出手段と、
前記垂直同期信号の周波数を検出する垂直同期信号周波数検出手段と、
水平同期信号の有無を判定する基準値に基づいて、前記水平同期信号の有無を検出する水平同期信号有無判定手段と、
垂直同期信号の有無を判定する基準値に基づいて、前記垂直同期信号の有無を検出する垂直同期信号有無判定手段と、
水平同期信号、及び垂直同期信号の有無の組み合わせに基づいて、ディスプレイの電源管理状態を判定する電源管理状態判定手段と、
前記電源管理状態判定手段により前記ディスプレイの電源管理状態が変化したと判定したとき、前記コントローラに出力される割込み信号を生成する割込み生成手段とを備え、
前記電源管理状態判定手段によって判定された結果により、ディスプレイの電源を管理するとともに、前記割込み信号に基づいて、前記コントローラを制御する、
ことを特徴とするディスプレイ制御装置。
【請求項８】
請求項７記載のディスプレイ制御装置において、
デバイス間で通信を行う通信手段を備えた、
ことを特徴とするディスプレイ制御装置。
【請求項９】
請求項７記載のディスプレイ制御装置において、
ディスプレイ上に文字を表示する文字表示手段を備えた、
ことを特徴とするディスプレイ制御装置。
【請求項１０】
請求項１記載のディスプレイ制御装置において、
水平同期信号の有無を判定する基準値が上位側と下位側の２つであり、かつ、垂直同期信号の有無を判定する基準値が上位側と下位側の２つである、
ことを特徴とするディスプレイ制御装置。
【請求項１１】
請求項１０記載のディスプレイ制御装置において、
デバイス間で通信を行う通信手段を備えた、
ことを特徴とするディスプレイ制御装置。
【請求項１２】
請求項１０記載のディスプレイ制御装置において、
ディスプレイ上に文字を表示するための文字表示手段を備えた、
ことを特徴とするディスプレイ制御装置。
【請求項１３】
請求項４記載のディスプレイ制御装置において、
水平同期信号の有無を判定する基準値が上位側と下位側の２つであり、かつ、垂直同期信号の有無を判定する基準値が上位側と下位側の２つである、
ことを特徴とするディスプレイ制御装置。
【請求項１４】
請求項１３記載のディスプレイ制御装置において、
デバイス間で通信を行う通信手段を加えた、
ことを特徴とするディスプレイ制御装置。
【請求項１５】
請求項１３記載のディスプレイ制御装置において、
ディスプレイ上に文字を表示する文字表示手段を備えた、
ことを特徴とするディスプレイ制御装置。
【請求項１６】
請求項７記載のディスプレイ制御装置において、
水平同期信号の有無を判定する基準値が上位側と下位側の２つであり、かつ、垂直同期信号の有無を判定する基準値が上位側と下位側の２つである、
ことを特徴とするディスプレイ制御装置。
【請求項１７】
請求項１６記載のディスプレイ制御装置において、
デバイス間で通信を行う通信手段を備えた、
ことを特徴とするディスプレイ制御装置。
【請求項１８】
請求項１６記載のディスプレイ制御装置において、
ディスプレイ上に文字を表示する文字表示手段を備えた、
ことを特徴とするディスプレイ制御装置。
【請求項１９】
請求項１、４、７、１０、１３、及び１６のいずれかに記載のディスプレイ制御装置において、
デバイス間で通信を行う通信手段と、ディスプレイ上に文字を表示する文字表示手段とを備えた、
ことを特徴とするディスプレイ制御装置。
【発明の詳細な説明】
【技術分野】
【０００１】
本発明はディスプレイ制御装置に関し、特にディスプレイの電源管理を制御するディスプレイ制御装置に関する。
【背景技術】
【０００２】
アメリカのコンピュータディスプレイに関する業界標準化団体である、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）が制定した標準規格にＤＰＭ（Ｄｉｓｐｌａｙ  Ｐｏｗｅｒ  Ｍａｎａｇｅｍｅｎｔ）というものが存在する。ＤＰＭとは、コンピュータがしばらく操作されていない場合に、ディスプレイを省電力モードに移行させる規格であり、具体的には、垂直同期信号（Ｖ‐ｓｙｎｃ）と水平同期信号（Ｈ‐ｓｙｎｃ）の有無の組み合わせにより、図１１に示すように、正常（Ｏｎ），待機（Ｓｔａｎｄ‐Ｂｙ），一時中止（Ｓｕｓｐｅｎｄ），オフ（Ｏｆｆ）の４つのステートを規定している。これを実現するものとして、従来は、タイマ等を搭載するマイクロコンピュータを用い、ソフト処理により、４つのステートを判定し、ディスプレイ電源管理を行う構成のもの（例えば、特許文献１参照）や、マイクロコンピュータは用いず、ＡＳＩＣにて実装した回路により、４つのステートを判定し、ディスプレイ電源管理を行う構成のもの（例えば、特許文献２参照）がある。
【特許文献１】米国特許第５５８６３３３号明細書
【特許文献２】特許第３１５３１０２号明細書
【発明の開示】
【発明が解決しようとする課題】
【０００３】
しかしながら、タイマ等を搭載するマイクロコンピュータを用い、ソフト処理により、４つのステートを判定する構成では、ほとんどの処理をコントローラを用いたソフト処理で実現しているため、コントローラに負荷がかかり、コントローラのパフォーマンスが落ちてしまう。また、たとえ専用のマイクロコンピュータを使用したとしても、それだけコストが上がってしまうという問題がある。加えて、ステートの判定にコントローラを使用するため、ディスプレイが低消費電力状態の間も、コントローラを動作させることとなり、マイクロコンピュータを含めたディスプレイセットとしては、低消費電力状態にならない。
【０００４】
また、マイクロコンピュータは用いず、ＡＳＩＣにて実装した回路により、４つのステートを判定し、ディスプレイ電源管理を行う構成では、マイクロコンピュータを用いていないため、上記に示すコントローラのパフォーマンスが落ちる問題は生じず、ディスプレイ電源管理をすることはできるが、ディスプレイセットとしては、必ず制御用マイクロコンピュータが搭載されており、ステートに合わせて、制御用マイクロコンピュータにおいても消費電力を抑える制御（以下、低消費電力モードという）をするには、その制御信号を生成するための専用ＡＳＩＣを追加せねばならず、また制御用マイクロコンピュータへの制御信号においても、モード識別が可能となる数だけ専用端子をマイクロコンピュータに割り当てねばならないという問題がある。また、特許文献２に提案されるＡＳＩＣ回路構成では、同期パルスが入る毎にステート判定を行うため、ノイズ特性が悪いという問題もある。
【０００５】
本発明は、上記のような従来の問題点を解決するためになされたもので、コントローラのパフォーマンスを低下させることなくディスプレイ電源管理を行い、ディスプレイセット全体として低消費電力が可能となるディスプレイ制御装置を得ることを目的とする。
【課題を解決するための手段】
【０００６】
本発明によれば、コントローラを搭載するディスプレイ制御装置において、コントローラを用いることなく、正常（Ｏｎ），待機（Ｓｔａｎｄ‐Ｂｙ），一時中止（Ｓｕｓｐｅｎｄ），オフ（Ｏｆｆ）の４つのステートを判定し、ステートが変更した際には割り込みを発生させ、コントローラの制御を行う。また、ディスプレイ制御装置のステートを判定する回路では、一定期間、水平同期信号、または垂直同期信号のパルス数をカウントすることによって、周波数を判定することにより、ノイズ特性をよくすることができる。
【０００７】
本発明の請求項１にかかるディスプレイ制御装置は、ディスプレイの電源管理状態の判定結果を記憶する記憶手段と、前記記憶手段との間のデータの入出力を制御するコントローラと、外部からの水平同期信号が入力される水平同期信号入力手段と、外部からの垂直同期信号が入力される垂直同期信号入力手段と、前記水平同期信号の周波数を検出する水平同期信号周波数検出手段と、前記垂直同期信号の周波数を検出する垂直同期信号周波数検出手段と、水平同期信号の有無を判定する基準値に基づいて、前記水平同期信号の有無を検出する水平同期信号有無判定手段と、垂直同期信号の有無を判定する基準値に基づいて、前記垂直同期信号の有無を検出する垂直同期信号有無判定手段と、水平同期信号、及び垂直同期信号の有無の組み合わせに基づいて、ディスプレイの電源管理状態を判定する電源管理状態判定手段と、前記電源管理状態判定手段により前記ディスプレイの電源管理状態が変化したと判定したとき、前記コントローラに出力される割込み信号を生成する割込み生成手段とを備え、前記電源管理状態判定手段によって判定された結果により、ディスプレイの電源を管理するとともに、前記割込み信号に基づいて、前記コントローラを制御することを特徴とするものである。
【０００８】
本発明の請求項２にかかるディスプレイ制御装置は、請求項１記載のディスプレイ制御装置において、デバイス間で通信を行う通信手段を備えたことを特徴とするものである。
【０００９】
本発明の請求項３にかかるディスプレイ制御装置は、請求項１記載のディスプレイ制御装置において、ディスプレイ上に文字を表示する文字表示手段を備えたことを特徴とするものである。
【００１０】
本発明の請求項４にかかるディスプレイ制御装置は、ディスプレイの電源管理状態の判定結果を記憶する記憶手段と、前記記憶手段との間のデータの入出力を制御するコントローラと、外部からの水平同期信号が入力される水平同期信号入力手段と、外部からの垂直同期信号が入力される垂直同期信号入力手段と、前記水平同期信号より、クロックに同期したパルス信号である水平同期信号パルスを生成する水平同期信号パルス生成手段と、前記垂直同期信号より、クロックに同期したパルス信号である垂直同期信号パルスを生成する垂直同期信号パルス生成手段と、前記水平同期信号、及び前記垂直同期信号の周波数検出の基準となる基準周波数信号を生成する基準周波数信号生成手段と、前記水平同期信号の周波数を検出する水平同期信号周波数検出手段と、前記垂直同期信号の周波数を検出する垂直同期信号周波数検出手段と、水平同期信号の有無を判定する基準値に基づいて、前記水平同期信号の有無を検出する水平同期信号有無判定手段と、垂直同期信号の有無を判定する基準値に基づいて、前記垂直同期信号の有無を検出する垂直同期信号有無判定手段と、水平同期信号、及び垂直同期信号の有無の組み合わせに基づいて、ディスプレイの電源管理状態を判定する電源管理状態判定手段と、前記電源管理状態判定手段により前記ディスプレイの電源管理状態が変化したと判定したとき、前記コントローラに出力される割込み信号を生成する割込み生成手段とを備え、前記電源管理状態判定手段によって判定された結果により、ディスプレイの電源を管理するとともに、前記割込み信号に基づいて、前記コントローラを制御することを特徴とするものである。
【００１１】
本発明の請求項５にかかるディスプレイ制御装置は、請求項４記載のディスプレイ制御装置において、デバイス間で通信を行う通信手段を備えたことを特徴とするものである。
【００１２】
本発明の請求項６にかかるディスプレイ制御装置は、請求項４記載のディスプレイ制御装置において、ディスプレイ上に文字を表示する文字表示手段を備えたことを特徴とするものである。
【００１３】
本発明の請求項７にかかるディスプレイ制御装置は、ディスプレイの電源管理状態の判定結果を記憶する記憶手段と、前記記憶手段との間のデータの入出力を制御するコントローラと、外部からの水平同期信号が入力される水平同期信号入力手段と、外部からの垂直同期信号が入力される垂直同期信号入力手段と、前記水平同期信号のノイズを除去する水平同期信号ノイズフィルタと、前記垂直同期信号のノイズを除去する垂直同期信号ノイズフィルタと、前記水平同期信号より、クロックに同期したパルス信号である水平同期信号パルスを生成する水平同期信号パルス生成手段と、前記垂直同期信号より、クロックに同期したパルス信号である垂直同期信号パルスを生成する垂直同期信号パルス生成手段と、前記水平同期信号、及び前記垂直同期信号の周波数検出の基準となる基準周波数信号を生成する基準周波数信号生成手段と、前記水平同期信号の周波数を検出する水平同期信号周波数検出手段と、前記垂直同期信号の周波数を検出する垂直同期信号周波数検出手段と、水平同期信号の有無を判定する基準値に基づいて、前記水平同期信号の有無を検出する水平同期信号有無判定手段と、垂直同期信号の有無を判定する基準値に基づいて、前記垂直同期信号の有無を検出する垂直同期信号有無判定手段と、水平同期信号、及び垂直同期信号の有無の組み合わせに基づいて、ディスプレイの電源管理状態を判定する電源管理状態判定手段と、前記電源管理状態判定手段により前記ディスプレイの電源管理状態が変化したと判定したとき、前記コントローラに出力される割込み信号を生成する割込み生成手段とを備え、前記電源管理状態判定手段によって判定された結果により、ディスプレイの電源を管理するとともに、前記割込み信号に基づいて、前記コントローラを制御することを特徴とするものである。
【００１４】
本発明の請求項８にかかるディスプレイ制御装置は、請求項７記載のディスプレイ制御装置において、デバイス間で通信を行う通信手段を備えたことを特徴とするものである。
【００１５】
本発明の請求項９にかかるディスプレイ制御装置は、請求項７記載のディスプレイ制御装置において、ディスプレイ上に文字を表示する文字表示手段を備えたことを特徴とするものである。
【００１６】
本発明の請求項１０にかかるディスプレイ制御装置は、請求項１記載のディスプレイ制御装置において、水平同期信号の有無を判定する基準値が上位側と下位側の２つであり、かつ、垂直同期信号の有無を判定する基準値が上位側と下位側の２つであることを特徴とするものである。
【００１７】
本発明の請求項１１にかかるディスプレイ制御装置は、請求項１０記載のディスプレイ制御装置において、デバイス間で通信を行う通信手段を備えたことを特徴とするものである。
【００１８】
本発明の請求項１２にかかるディスプレイ制御装置は、請求項１０記載のディスプレイ制御装置において、ディスプレイ上に文字を表示するための文字表示手段を備えたことを特徴とするものである。
【００１９】
本発明の請求項１３にかかるディスプレイ制御装置は、請求項４記載のディスプレイ制御装置において、水平同期信号の有無を判定する基準値が上位側と下位側の２つであり、かつ、垂直同期信号の有無を判定する基準値が上位側と下位側の２つであることを特徴とするものである。
【００２０】
本発明の請求項１４にかかるディスプレイ制御装置は、請求項１３記載のディスプレイ制御装置において、デバイス間で通信を行う通信手段を加えたことを特徴とするものである。
【００２１】
本発明の請求項１５にかかるディスプレイ制御装置は、請求項１３記載のディスプレイ制御装置において、ディスプレイ上に文字を表示する文字表示手段を備えたことを特徴とするものである。
【００２２】
本発明の請求項１６にかかるディスプレイ制御装置は、請求項７記載のディスプレイ制御装置において、水平同期信号の有無を判定する基準値が上位側と下位側の２つであり、かつ、垂直同期信号の有無を判定する基準値が上位側と下位側の２つであることを特徴とするものである。
【００２３】
本発明の請求項１７にかかるディスプレイ制御装置は、請求項１６記載のディスプレイ制御装置において、デバイス間で通信を行う通信手段を備えたことを特徴とするものである。
【００２４】
本発明の請求項１８にかかるディスプレイ制御装置は、請求項１６記載のディスプレイ制御装置において、ディスプレイ上に文字を表示する文字表示手段を備えたことを特徴とするものである。
【００２５】
本発明の請求項１９にかかるディスプレイ制御装置は、請求項１、４、７、１０、１３、及び１６のいずれかに記載のディスプレイ制御装置において、デバイス間で通信を行う通信手段と、ディスプレイ上に文字を表示する文字表示手段とを備えたことを特徴とするものである。
【発明の効果】
【００２６】
本発明のディスプレイ制御装置によれば、ステートを決定するまではコントローラとは独立に動作する為、コントローラへの負荷は軽減し、コントローラパフォーマンス低下を軽減することが可能となる。また、ステートを決定する回路を、制御用マイクロコンピュータ内に組込むことによって、ディスプレイ電源管理だけでなく、ステートが変更した際に発生する割込みにより、ステートの状態に応じて、コントローラの動作モードを容易に切り替えることが出来る為、ディスプレイセット全体として更なる低消費電力が可能となり、また制御用端子を追加することなく実現できる。
【発明を実施するための最良の形態】
【００２７】
以下、本発明を実施するための最良の形態について、図面を参照しながら説明する。
（実施の形態１）
図１は、本発明の実施の形態１にかかるディスプレイ制御装置の構成を示すブロック図である。
図１において、コントローラ１０１、記憶部１０２、水平同期信号入力部１０３、垂直同期信号入力部１０４、水平同期信号パルス生成部１０５、垂直同期信号パルス生成部１０６、基準周波数信号生成部１０７、水平同期信号周波数検出部１０８、垂直同期信号周波数検出部１０９、水平同期信号有無判定部１１０、垂直同期信号有無判定部１１１、ステート決定部１１２、割込み生成部１１３を備えている。このうち、水平同期信号パルス生成部１０５、垂直同期信号パルス生成部１０６、基準周波数信号生成部１０７、水平同期信号周波数検出部１０８、垂直同期信号周波数検出部１０９、水平同期信号有無判定部１１０、垂直同期信号有無判定部１１１、ステート決定部１１２、割込み生成部１１３はステート判定ブロック１１４を構成している。
【００２８】
なお、ステート判定ブロック１１４について、コントローラ１０１の周辺回路とは別系統のクロックを用いることにより、コントローラ１０１が停止状態であっても、ステート判定ブロック１１４は動作させることができる。
【００２９】
また、コントローラ１０１は、ハードウェア割込み処理がコントローラに送られるまでコントローラの処理を停止する命令（以下、ＨＡＬＴ命令という）を保持するものであるとする。また、コントローラ１０１は、記憶部１０２とコントローラ１０１との間のデータの入出力を制御する。
【００３０】
以上のように構成されたディスプレイ制御装置について、以下その動作を説明する。
まず、基準周波数信号生成部１０７にて、水平／垂直同期信号の周波数測定の基準となる、基準周波数信号２０１を生成する。また、コントローラ１０１から記憶部１０２に、水平／垂直同期信号周波数比較値書き込みデータ２１８を入力することにより、記憶部１０２に水平同期信号の有無判定の基準となる水平同期信号周波数比較値２０２と、垂直同期信号の有無判定の基準となる垂直同期信号周波数比較値２０３があらかじめ入力されている。
【００３１】
水平同期信号入力部１０３から入力された水平同期信号２０４より、水平同期信号パルス生成部１０５にて、水平同期信号パルス２０５を生成する。そして、前記水平同期信号パルス２０５を、基準周波数信号２０１の１周期間、水平同期信号周波数検出部１０８にてカウントすることによって、水平同期信号の周波数２０６を検出する。
【００３２】
図２は、本発明の実施の形態１にかかるディスプレイ制御装置の、基準周波数信号２０１、水平同期信号２０４、水平同期信号パルス２０５の変化を示したタイミングチャートである。
【００３３】
図２に示すように、水平同期信号入力部１０３から入力された水平同期信号２０４より、クロックに同期したパルス信号である水平同期信号パルス２０５を取り出し、該水平同期信号パルス２０５を、基準周波数信号２０１の１周期Ｔの間、水平同期信号周波数検出部１０８の内部カウンタ２０７にてカウントすることにより、水平同期信号の周波数２０６を検出することが可能となる。そして、水平同期信号有無判定部１１０にて、記憶部１０２からの水平同期信号周波数比較値２０２と、検出した水平同期信号の周波数２０６とを比較し、水平同期信号の有無を判定する。
【００３４】
また、同様に、垂直同期信号入力部１０４から入力された垂直同期信号２０８より、垂直同期信号パルス生成部１０６にて、垂直同期信号パルス２０９を生成し、基準周波数信号２０１の１周期間、垂直同期信号パルス２０９を、垂直同期信号周波数検出部１０９の内部カウンタ２１１にてカウントすることによって、垂直同期信号の周波数２１０を検出する。
【００３５】
図３は、本発明の実施の形態１にかかるディスプレイ制御装置の、基準周波数信号２０１、垂直同期信号２０８、垂直同期信号パルス２０９の変化を示したタイミングチャートである。
【００３６】
図３に示すように、垂直同期信号入力部１０４から入力された垂直同期信号２０８より、クロックに同期したパルス信号である垂直同期信号パルス２０９を取り出し、該垂直同期信号パルス２０９を、基準周波数信号２０１の１周期Ｔの間、垂直同期信号周波数検出部１０９の内部カウンタ２１１にてカウントすることにより、垂直同期信号の周波数２１０を検出することが可能となる。そして、垂直同期信号有無判定部１１１にて、記憶部１０２からの垂直同期信号周波数比較値２０３と、検出した垂直同期信号の周波数２１０とを比較し、垂直同期信号の有無を判定する。
【００３７】
ステート決定部１１２は、水平同期信号有無判定部１１０からの判定結果２１２、及び垂直同期信号有無判定部１１１からの判定結果２１３に基づいて、図１１に示す４つのステートより、現在のステート２１４を決定し、現在のステート２１４を外部のディスプレイ電源管理デバイスに送信し、ディスプレイの電源管理を行うと同時に、記憶部１０２のステートに現在のステート２１４を上書きする。ここでいう外部のディスプレイ電源管理デバイスとは、後述する、図１０に示すパネル駆動制御ＬＳＩ４等に相当する。ここで、図１１に示すように、水平同期信号２０４が「有」、垂直同期信号２０８が「有」の場合はステート２１４はＯｎであり、水平同期信号２０４が「無」、垂直同期信号２０８が「有」の場合はステート２１４はＳｔａｎｄ‐Ｂｙであり、水平同期信号２０４が「有」、垂直同期信号２０８が「無」の場合はステート２１４はＳｕｓｐｅｎｄであり、水平同期信号２０４が「無」、垂直同期信号２０８が「無」の場合はステート２１４はＯｆｆである。
【００３８】
また、ステート２１４が変化した際には、ステート決定部１１２から割込み生成部１１３にステート遷移信号２１７が送信され、割込み生成部１１３により割込み信号２１５を発生させる。割込み信号２１５は割込み生成部１１３からコントローラ１０１に入力される。
【００３９】
図４は、本発明の実施の形態１にかかるディスプレイ制御装置の、割込み信号２１５発生時のコントローラ１０１の動作を示したフローチャートである。
【００４０】
図４において、割込み信号２１５が発生した時（ステップ４０１）に、コントローラ１０１が通常動作であった場合（ステップ４０２でＮｏ）には、コントローラ１０１は、記憶部１０２からステート読み出しデータ２１６を呼び出して確認し（ステップ４０３）、そのステート読み出しデータ２１６がコントローラ１０１を低消費電力モードとするものであった場合（ステップ４０４でＹｅｓ）には、ＨＡＬＴ命令を実行し、コントローラ１０１を停止状態にする（ステップ４０５）。これにより、ステートに合わせて、ディスプレイ電源だけでなく、ディスプレイセットを制御するコントローラ１０１も低消費電力モードにすることができる。
【００４１】
また、ステート２１４の変化により、割込み信号２１５が発生した時（ステップ４０１）に、コントローラ１０１がＨＡＬＴ命令によって停止状態であった（ステップ４０２でＹｅｓ）の場合は、その割込み信号２１５によって、コントローラ１０１を復帰させる（ステップ４０６）。その後、コントローラ１０１は、記憶部１０２からステート読み出しデータ２１６を呼び出して確認し（ステップ４０３）、そのステート読み出しデータ２１６に合わせて、コントローラ１０１を制御する（ステップ４０４）ことにより、ディスプレイセットを制御するコントローラ１０１を、低消費電力モードから通常モードに戻すことも可能となる。
なお、水平同期信号周波数比較値２０２、及び垂直同期信号周波数比較値２０３は、固定値であってもよいものとする。
【００４２】
このように本実施の形態１では、コントローラ１０１と、水平同期信号、及び垂直同期信号の有無の組み合わせに基づいて、ディスプレイの電源管理状態を判定するステート決定部１１２を備え、ステート決定部１１２によりディスプレイの電源管理状態が変化したと判定したとき、コントローラ１０１を制御するようにしたので、コントローラを用いずにディスプレイのステートを決定して、ディスプレイの電源管理を行うことができると同時に、ステートの状態に応じて、コントローラの動作モードを容易に切り替えることが出来る為、ディスプレイセット全体として更なる低消費電力が可能となるという効果がある。
【００４３】
（実施の形態２）
図５は、本発明の実施の形態２にかかるディスプレイ制御装置の構成を示すブロック図であり、図１のディスプレイ制御装置の水平同期信号入力部１０３と水平同期信号パルス生成部１０５との間にノイズフィルタ５０１を追加し、垂直同期信号入力部１０４と垂直同期信号パルス生成部１０６との間にノイズフィルタ５０２を追加している。なお、ノイズフィルタ５０１、及びノイズフィルタ５０２以外に関する構成、及び動作は実施の形態１と同様であり、その説明を省略する。
【００４４】
図５において、水平同期信号入力部から入力された水平同期信号２０４はノイズフィルタ５０１に入力されて水平同期信号２０４のノイズが除去され、ノイズ除去後の水平同期信号５０３より、水平同期信号パルス生成部１０５にて、水平同期信号パルス２０５を生成する。そして、水平同期信号パルス２０５を基準周波数信号２０１の１周期間、水平同期信号周波数検出部１０８にてカウントすることによって、水平同期信号の周波数２０６を検出する。
【００４５】
また、垂直同期信号入力部１０４から入力された垂直同期信号２０８はノイズフィルタ５０２に入力されて垂直同期信号２０８のノイズが除去され、ノイズ除去後の垂直同期信号５０４より、垂直同期信号パルス生成部１０６にて、垂直同期信号パルス２０９を生成する。そして、垂直同期信号パルス２０９を基準周波数２０１の１周期間、垂直同期信号周波数検出部１０９にてカウントすることによって、垂直同期信号の周波数２１０を検出する。
【００４６】
このように本実施の形態２では、ディスプレイの電源管理を行うディスプレイ制御装置において、水平同期信号２０４のノイズを除去するノイズフィルタ５０１と、垂直同期信号２０８のノイズを除去するノイズフィルタ５０２を備えるようにしたので、水平同期信号２０４、及び垂直同期信号２０８のノイズが除去され、より正確な水平同期信号の周波数２０６、及び垂直同期信号の周波数２１０を検出することができるという効果がある。
【００４７】
（実施の形態３）
図６は、本発明の実施の形態３にかかるディスプレイ制御装置の構成を示すブロック図であり、図１に示したディスプレイ制御装置では現在のステート２１４をステート決定部１１２から直接外部のディスプレイ電源管理デバイスに送信していたが、実施の形態３ではデバイス間で通信を行う通信手段として、シリアルポート６０１を追加している。なお、シリアルポート６０１以外に関する構成、及び動作は実施の形態１と同様であり、その説明を省略する。
【００４８】
図６において、水平同期信号有無判定部１１０からの判定結果２１２、及び垂直同期信号有無判定部１１１からの判定結果２１３に基づいて、ステート決定部１１２にて現在のステート２１４を決定し、記憶部１０２のステートに現在のステート２１４を上書きする。コントローラ１０１は、記憶部１０２より、ステート読み出しデータ２１６を呼び出し、ステート読み出しデータ２１６を含むシリアルポート制御信号２２１をシリアルポート６０１に送信する。
【００４９】
そして、このシリアルポート６０１を利用して、ステート読み出しデータ２１６を外部のディスプレイ電源管理デバイスに送信するようにすることにより、ディスプレイ制御装置に、ステート読み出しデータ２１６をディスプレイ電源管理デバイスに送信するための専用の端子を用意する必要がなく、端子数を削減することが可能となる。
【００５０】
なお、デバイス間で通信を行う通信手段は、シリアルポートにこだわる必要はなく、デバイス間の情報の送受信が可能なものであればよい。
【００５１】
このように本実施の形態３では、ディスプレイの電源管理を行うディスプレイ制御装置において、デバイス間で通信を行う通信手段としてシリアルポート６０１を備えるようにしたので、ディスプレイ制御装置の端子数を削減することができるという効果がある。
【００５２】
（実施の形態４）
図７は、本発明の実施の形態４にかかるディスプレイ制御装置の構成を示すブロック図であり、図１のディスプレイ制御装置のコントローラ１０１から記憶部１０２に、水平／垂直同期信号周波数比較値書き込みデータ２１８の代わりに水平／垂直同期信号周波数上位／下位側比較値書き込みデータ２１９を入力し、記憶部１０２にあらかじめ代入しておく、水平同期信号の有無判定の基準となる水平同期信号周波数比較値２０２を、水平同期信号周波数上位側比較値７０１、及び水平同期信号周波数下位側比較値７０２に変更し、また、垂直同期信号の有無判定の基準となる垂直同期信号周波数比較値２０３を、垂直同期信号周波数上位側比較値７０３、及び垂直同期信号周波数下位側比較値７０４に変更している。なお、水平／垂直同期信号周波数上位／下位側比較値書き込みデータ２１９、水平同期信号周波数上位側比較値７０１、水平同期信号周波数下位側比較値７０２、垂直同期信号周波数上位側比較値７０３、及び垂直同期信号周波数下位側比較値７０４以外に関する構成、及び動作は実施の形態１と同様であり、その説明を省略する。
【００５３】
図８は、本発明の実施の形態４にかかるディスプレイ制御装置による、水平同期信号周波数上位側比較値７０１、水平同期信号周波数下位側比較値７０２、垂直同期信号周波数上位側比較値７０３、垂直同期信号周波数下位側比較値７０４を用いた水平／垂直同期信号の有無判定方法を説明するための図である。
【００５４】
図８に示すように、水平同期信号有無判定部１１０において、水平同期信号周波数上位側比較値７０１より水平同期信号の周波数２０６のほうが大きい場合に、水平同期信号２０４が「有」と判定し、水平同期信号周波数下位側比較値７０２より水平同期信号の周波数２０６のほうが小さい場合に、水平同期信号２０４が「無」と判定し、水平同期信号の周波数２０６が、水平同期信号周波数上位側比較値７０１と水平同期信号周波数下位側比較値７０２の間であった場合には、水平同期信号有無判定部１１０による水平同期信号の有無判定結果２１２の内容は変更しないものとする。
【００５５】
また、垂直同期信号有無判定部２１１において、垂直同期信号周波数上位側比較値７０３より垂直同期信号の周波数２１０のほうが大きい場合に、垂直同期信号２０８が「有」と判定し、垂直同期信号周波数下位側比較値７０４より垂直同期信号の周波数２１０のほうが小さい場合に、垂直同期信号２０８が「無」と判定し、垂直同期信号の周波数２１０が、垂直同期信号周波数上位側比較値７０１と垂直同期信号周波数下位側比較値７０２の間であった場合には、垂直同期信号有無判定部２１１による垂直同期信号の有無判定結果２１３の内容は変更しないものとする。
【００５６】
なお、水平同期信号周波数上位側比較値７０１、水平同期信号周波数下位側比較値７０２、及び、垂直同期信号周波数上位側比較値７０３、垂直同期信号周波数下位側比較値７０４は、固定値であってもよいものとする。
【００５７】
このように本実施の形態４では、ディスプレイの電源管理を行うディスプレイ制御装置において、水平／垂直同期信号の有無を判定する基準値として、水平同期信号周波数上位側比較値７０１、水平同期信号周波数下位側比較値７０２、垂直同期信号周波数上位側比較値７０３、垂直同期信号周波数下位側比較値７０４を用いるようにしたので、水平／垂直同期信号の周波数２０６、２１０が、水平／垂直同期信号の周波数有無判定基準値付近であった場合に、不必要にステート２１４が変化しないようにすることができるという効果がある。
【００５８】
（実施の形態５）
図９は、本発明の実施の形態５にかかるディスプレイ制御装置の構成図であり、図１のディスプレイ制御装置に、ディスプレイ上に文字情報の文字を表示するための文字表示回路（以下、ＯＳＤ（Ｏｎ  Ｓｃｒｅｅｎ  Ｄｉｓｐｌａｙ）回路と称す）９０１を追加している。なお、文字表示回路９０１以外に関する構成、及び動作は実施の形態１と同様であり、その説明を省略する。
【００５９】
図９において、ステート２１４が変化した場合、ステート決定部１１２から割込み生成部１１３に、ステート遷移信号２１７が送信される。続いて、割込み生成部１１３からコントローラ１０１に割込み信号２１５が送信され、コントローラ１０１は、ＯＳＤ制御信号２２０を、文字表示回路９０１に送信する。文字表示回路９０１ではステート２１４の変化に関する文字表示情報を生成し、外部デバイスに送信する。ここでいう外部デバイスとは、後述する映像信号処理ＬＳＩ３等に相当する。
【００６０】
図１０は、本発明のディスプレイ制御装置を用いたディスプレイセット６の簡略図の一例である。
図１０において、パーソナルコンピュータ本体１、ディスプレイ制御装置２、映像信号処理ＬＳＩ３、パネル制御ＬＳＩ４、ディスプレイパネル５より構成される。
【００６１】
まず、ディスプレイセット６は、パーソナルコンピュータ本体１より、水平／垂直同期信号７と、映像信号８が入力される。ディスプレイ制御装置２は、パーソナルコンピュータ本体１より、水平／垂直同期信号７が入力され、ステート信号９、及びＯＳＤ表示情報１０を出力する。
【００６２】
映像信号処理ＬＳＩ３は、パーソナルコンピュータ本体１から、水平／垂直同期信号７、及び映像信号８が入力され、また、ディスプレイ制御装置２より、ＯＳＤ表示情報１０が入力され、映像表示信号１１を出力する。また、映像信号処理ＬＳＩ３は、ディスプレイ制御装置２よりステート信号９が入力され、電力制御が可能である。
【００６３】
パネル駆動制御ＬＳＩ４は、映像信号処理ＬＳＩ３より、映像表示信号１１が入力され、画像表示情報１２をディスプレイパネル４へ出力する。
【００６４】
また、パネル駆動制御ＬＳＩ４も、ディスプレイ制御装置２より、ステート信号９が入力され、電力制御が可能である。
【００６５】
なお、図１０に示したパネルディスプレイセットは、本発明の実施の形態５にかかるディスプレイ制御装置のみでなく、本発明の実施の形態１〜４のディスプレイ制御装置も用いることができる。
【００６６】
このように本実施の形態５では、ディスプレイの電源管理を行うディスプレイ制御装置において、ディスプレイ上に文字情報の文字を表示する文字表示回路９０１を備えるようにしたので、ステート２１４が変化した際、ディスプレイを低消費電力モードに移行する前に、ディスプレイの状態を移行することを画面に出力し、視覚的に知らせることができるという効果がある。
【産業上の利用可能性】
【００６７】
本発明にかかるディスプレイ制御装置はディスプレイセットの低消費電力化において有用である。
【図面の簡単な説明】
【００６８】
【図１】図１は、本発明の実施の形態１にかかるディスプレイ制御装置の構成を示すブロック図である。
【図２】図２は、本発明の実施の形態１にかかるディスプレイ制御装置の水平同期信号に関するタイミングチャートである。
【図３】図３は、本発明の実施の形態１にかかるディスプレイ制御装置の垂直同期信号に関するタイミングチャートである。
【図４】図４は、本発明の実施の形態１にかかるディスプレイ制御装置の割込み発生時のフローチャートである。
【図５】図５は、本発明の実施の形態２にかかるディスプレイ制御装置の構成を示すブロック図である。
【図６】図６は、本発明の実施の形態３にかかるディスプレイ制御装置の構成を示すブロック図である。
【図７】図７は、本発明の実施の形態４にかかるディスプレイ制御装置の構成を示すブロック図である。
【図８】図８は、本発明の実施の形態４における水平／垂直同期信号の有無判定方法を説明するための図である。
【図９】図９は、本発明の実施の形態５にかかるディスプレイ制御装置の構成を示すブロック図である。
【図１０】図１０は、本発明のディスプレイ制御装置を用いたディスプレイセットの簡略図である。
【図１１】図１１は、ＤＰＭ規格のステート一覧表である。
【符号の説明】
【００６９】
１  パーソナルコンピュータ本体
２  ディスプレイ制御装置
３  映像信号処理ＬＳＩ
４  パネル駆動制御ＬＳＩ
５  ディスプレイパネル
６  ディスプレイセット
７  水平同期信号（Ｈ‐ｓｙｎｃ）、垂直同期信号（Ｖ‐ｓｙｎｃ）
８  映像信号
９  ステート信号
１０  ＯＳＤ表示情報
１１  映像表示信号
１２  画像表示情報
１０１  コントローラ
１０２  記憶部
１０３  水平同期信号入力部
１０４  垂直同期信号入力部
１０５  水平同期信号パルス生成部
１０６  垂直同期信号パルス生成部
１０７  基準周波数信号生成部
１０８  水平同期信号周波数検出部
１０９  垂直同期信号周波数検出部
１１０  水平同期信号有無判定部
１１１  垂直同期信号有無判定部
１１２  ステート決定部
１１３  割込み生成部
１１４  ステート判定ブロック
２０１  基準周波数信号
２０２  水平同期信号周波数比較値
２０３  垂直同期信号周波数比較値
２０４  水平同期信号
２０５  水平同期信号パルス
２０６  水平同期信号の周波数
２０７  水平同期信号周波数検出部の内部カウンタ
２０８  垂直同期信号
２０９  垂直同期信号パルス
２１０  垂直同期信号の周波数
２１１  垂直同期信号周波数検出部の内部カウンタ
２１２  水平同期信号有無判定結果
２１３  垂直同期信号有無判定結果
２１４  ステート
２１５  割込み信号
２１６  ステート読み出しデータ
２１７  ステート遷移信号
２１８  水平／垂直同期信号周波数比較値書き込みデータ
２１９  水平／垂直同期信号周波数上位／下位側比較値書き込みデータ
２２０  ＯＳＤ制御信号
２２１  シリアルポート制御信号
５０１  水平同期信号ノイズフィルタ
５０２  垂直同期信号ノイズフィルタ
５０３  ノイズ除去後の水平同期信号
５０４  ノイズ除去後の垂直同期信号
６０１  シリアルポート
７０１  水平同期信号周波数上位側比較値
７０２  水平同期信号周波数下位側比較値
７０３  垂直同期信号周波数上位側比較値
７０４  垂直同期信号周波数下位側比較値
９０１  ＯＳＤ回路
【図１】
0004659834.tif 000002
【図２】
0004659834.tif 000003
【図３】
0004659834.tif 000004
【図４】
0004659834.tif 000005
【図５】
0004659834.tif 000006
【図６】
0004659834.tif 000007
【図７】
0004659834.tif 000008
【図８】
0004659834.tif 000009
【図９】
0004659834.tif 000010
【図１０】
0004659834.tif 000011
【図１１】
0004659834.tif 000012